(57)【特許請求の範囲】
【請求項１】
記録媒体に対して走査することによって記録動作を実行する記録手段と、
記録媒体の搬送方向において前記記録手段の上流側に配され、記録媒体を搬送する搬送ローラと、
該搬送ローラを駆動する搬送モータと、
前記搬送方向において前記記録手段の下流側に配され、前記搬送モータに駆動されて前記記録媒体を排出する排紙ローラと、を備え、
第１の記録媒体の後端が前記排紙ローラを通過するときに、前記第１の記録媒体の次の第２の記録媒体が前記搬送ローラによって搬送されている記録装置において、
記録動作を実行するときは前記搬送モータを第１の速度で間欠駆動し、前記第１の記録媒体に対する記録動作が完了した後、前記第２の記録媒体の先端が前記搬送方向において前記搬送ローラの上流側に配されたセンサにより検知されてから前記第２の記録媒体が記録動作が開始される記録開始位置に搬送されるまでの間に、前記搬送モータの駆動を前記第１の速度から前記第１の速度よりも速い第２の速度に変更して前記第１の記録媒体の後端が前記排紙ローラを通過するように制御する制御手段を備えることを特徴とする記録装置。
【請求項２】
前記制御手段は、前記第２の記録媒体の先端が前記記録開始位置よりも所定距離上流の位置に到達するまで、前記搬送モータを前記第２の速度で駆動することを特徴とする請求項１に記載の記録装置。
【請求項３】
前記制御手段は、前記搬送モータを前記第２の速度で駆動した後に、前記第２の記録媒体が前記記録開始位置に到達するまで前記搬送モータを前記第１の速度で駆動することを特徴とする請求項２に記載の記録装置。
【請求項４】
通常の搬送モードまたはサイレントモードの設定が可能な設定手段を備え、
前記設定手段によって前記サイレントモードが設定された場合は、前記制御手段は、前記記録動作を実行するときに前記搬送モータを前記第１の速度で間欠駆動し、
前記設定手段によって前記通常の搬送モードが設定された場合は、前記制御手段は、前記記録動作を実行するときに前記搬送モータを前記第２の速度で間欠駆動することを特徴とする請求項１ないし３のいずれか１項に記載の記録装置。
【発明の詳細な説明】
【技術分野】
【０００１】
本発明は、用紙に記録を行った後に所定の排紙位置に用紙を整列させて排紙させる記録装置に関する。
【背景技術】
【０００２】
プリンタ等の記録装置においては、記録部による記録が完了した用紙を装置外の所定の排紙位置に整列させて排出するための排紙機構を備えている。このような記録装置における排紙機構では、駆動源によって回転される排紙ローラを用紙に圧接させた状態で排紙ローラの回転によって用紙に搬送力が与えられ、用紙が装置外に排出されてスタッカに積載される構成となっている。
【０００３】
ところで、用紙が給紙されてからプリンタ等による記録後、排紙までの一連の動作においては、用紙の搬送速度が速くなる程、記録装置から発せられる音が大きくなる傾向がある。そのため、この記録装置から発せられる音を小さくするためには、用紙の搬送速度を遅くする必要がある。そこで、記録装置に静音設定を設け、ユーザが静音設定を選択したときには、用紙の搬送速度を遅くすることにより記録装置から発せられる音を小さくする構成がある。
【０００４】
しかしながら、用紙の搬送速度を遅くすると、用紙が排紙ローラから排紙される際に、既に排紙された用紙の積載されたスタッカ内へ排紙ローラによって用紙を押し出す力が小さくなる。従って、用紙が排紙ローラから押し出されても、用紙と、スタッカや既にスタッカに積載されている用紙との間の摩擦力によって、用紙が積載される正規の位置まで届かずに、排紙した用紙をスタッカにきれいに整列させることができないことがある。そのため、用紙が排紙ローラから排紙される際に、用紙の搬送速度を一定以上の速さにすることにより、排紙した用紙をスタッカにきれいに整列させる。
【０００５】
例えば、特許文献１に開示されている記録媒体の搬送・排紙装置では、搬送ローラ及び排紙ローラによって搬送されているときの用紙の搬送速度から、排紙ローラのみによる用紙の搬送速度を変更させる排紙機構の構成が提案されている。すなわち、搬送ローラと排紙ローラとの両方で用紙を搬送している際には、排紙ローラによる搬送速度が搬送ローラの通常の搬送速度に合せられる。また、排紙ローラのみで用紙を搬送する際には、排紙ローラの搬送速度を排紙後の用紙の整列に適した比較的高い速度になるようにしている。
【先行技術文献】
【特許文献】
【０００６】
【特許文献１】特開２００８−２７３６３６号公報
【発明の概要】
【発明が解決しようとする課題】
【０００７】
しかしながら、上記特許文献１の記録媒体の搬送・排紙装置では、排紙ローラと搬送ローラとの間で、別々の駆動源が用いられている。それによって、排紙ローラと搬送ローラとがそれぞれ別の回転速度によって回転するように制御されている。一般に、記録装置における製造の際のコストを考慮すると、記録装置が搬送ローラや排紙ローラといった複数のローラ対を有している場合、これらのローラ対を駆動させるための駆動源はなるべく共通化させた方が好ましい。このように、記録装置の中で駆動源の数を減少させることで、結果的に記録装置の製造コストを低く抑えることができる。このため、特許文献１のように記録装置の排紙ローラと搬送ローラとの間で別々の駆動源が用いられる場合、記録装置の製造コストが上昇してしまう。
【０００８】
また、上記特許文献１に開示された搬送・排紙装置では、排紙ローラのみで用紙を搬送する区間の搬送速度が比較的速く、搬送ローラと排紙ローラとの両方で用紙を搬送している区間の搬送速度が比較的遅くなるように、搬送速度が設定されている。そのため、排紙ローラのみによって用紙を搬送する状態になると、単純に高い速度で用紙の排紙が行われる。搬送速度がこのように設定されていると、騒音の発生を抑えるために比較的速い搬送速度によって用紙が搬送される区間を短くしようとしても、装置の構成によってその区間の長さについての設定が制限される。特に、記録装置としては、搬送ローラと排紙ローラとの間に記録領域が設けられている形式のものが多く採用されている。この場合、記録装置において、搬送ローラと排紙ローラとの間に記録領域のためのスペースを確保することが必要となり、比較的速い搬送速度によって用紙が搬送される区間を短くするために搬送ローラと排紙ローラとの間を短くするのにも限界がある。そのため、用紙の後端部と排紙位置との間にまだ比較的大きな距離があるにも関わらず、速い搬送速度によって用紙が搬送される区間が長くなり、高い搬送速度で騒音の発せられる状態が長く続く可能性がある。
【０００９】
そこで、本発明は上記の事情に鑑み、簡易な構成によって、騒音がなるべく発せられないようにされ、且つ、排紙の際には、排紙に適した速度で用紙が排紙され、排紙位置で用紙が整列される記録装置を提供することを目的とする。
【課題を解決するための手段】
【００１０】
本発明の記録装置は、記録媒体に対して走査することによって記録動作を実行する記録手段と、記録媒体の搬送方向において前記記録手段の上流側に配され、記録媒体を搬送する搬送ローラと、該搬送ローラを駆動する搬送モータと、前記搬送方向において前記記録手段の下流側に配され、前記搬送モータに駆動されて前記記録媒体を排出する排紙ローラと、を備え、第１の記録媒体の後端が前記排紙ローラを通過するときに、前記第１の記録媒体の次の第２の記録媒体が前記搬送ローラによって搬送されている記録装置において、記録動作を実行するときは前記搬送モータを第１の速度で間欠駆動し、前記第１の記録媒体に対する記録動作が完了した後、前記第２の記録媒体の先端が前記搬送方向において前記搬送ローラの上流側に配されたセンサにより検知されてから前記第２の記録媒体が記録動作が開始される記録開始位置に搬送されるまでの間に、前記搬送モータの駆動を前記第１の速度から前記第１の速度よりも速い第２の速度に変更して前記第１の記録媒体の後端が前記排紙ローラを通過するように制御する制御手段を備えることを特徴とする。
【発明の効果】
【００１１】
本発明によれば、特別な構成を付加させずに、全体的に装置から発生する騒音が小さく抑えられて静粛性が向上すると共に、排紙の際に用紙を排紙位置に正確に整列させて排紙させることができる記録装置及び用紙の搬送方法を提供することができる。
【図面の簡単な説明】
【００１２】
【図１】本発明の実施形態に係る記録装置における内部の構成について示した断面図である。
【図２】図１の記録装置について示した斜視図である。
【図３】図１の記録装置における制御系の構成について示したブロック図である。
【図４】図１の記録装置によって、用紙の給紙、搬送、排紙が行われる際の制御フローについて示したフローチャートである。
【図５】図１の記録装置によって用紙が排紙されたにも関わらず、用紙が排紙トレイに到達しなかった場合について示した記録装置の模式的な断面図である。
【図６】図１の記録装置のＰＥセンサによって用紙が検知された後に、用紙に記録が行われ、用紙が排紙待機位置まで搬送されている状態の記録装置について示した模式的な断面図である。
【図７】図１の記録装置のＰＥセンサによって用紙の後端部がまだ検知されていない状態の記録装置について示した模式的な断面図である。
【図８】図１の記録装置において、先行する用紙が、排紙待機位置まで搬送されたときの状態の記録装置について示した模式的な断面図である。
【図９】図１の記録装置において、排紙ローラによって用紙が排紙トレイに正常に排紙された状態の記録装置について示した模式的な断面図である。
【発明を実施するための形態】
【００１３】
以下、図面を参照して本発明の実施形態を具体的に説明する。なお、各図面を通して同一符号は同一または対応部分を示すものである。
【００１４】
図１は本発明による記録装置の概略を示す断面図であり、図２はこの記録装置の概略を示す斜視図である。図１において、１０は記録装置であり、不図示の用紙を搬送するための給紙ローラ１２、搬送ローラ１４、排紙ローラ１５を備えている。給紙ローラ（給紙手段）１２は、搬送ローラ１４よりも搬送経路Ｌの上流側に配置され用紙を搬送経路Ｌに給紙する。搬送ローラ（搬送手段）１４は、搬送経路Ｌで用紙を搬送する。排紙ローラ（排紙手段）１５は、搬送経路Ｌにおける搬送ローラ１４よりも下流側に配置され用紙を前記搬送経路から排紙トレイ（排紙位置）１６に排出する。本実施形態では、搬送ローラ１４と排紙ローラ１５と給紙ローラ１２とが、それぞれ一対のローラである。用紙積載部１１は記録装置１０の使用者が用紙をセットするようになっており、セットされている用紙を給紙ローラ１２によって記録装置１０の搬送経路内に給送する。給紙動作時、用紙検知センサ１３（以下ＰＥセンサと称する）は搬送される用紙の先端を検知し、その先端検知情報は用紙を記録開始位置Ｓ１まで搬送するのに利用される。給紙ローラ１２によって搬送され、ＰＥセンサ１３によって先端検知した用紙は、用紙先端が搬送ローラ１４まで届くと、搬送ローラ１４によって記録開始位置Ｓ１まで搬送される。記録動作中、用紙は搬送ローラ１４と排紙ローラ１５によって搬送される。ＰＥセンサ１３は記録動作中または排紙中に搬送される用紙の後端を検知して、その後端検知情報は用紙が排紙完了するまでの搬送に利用される。記録動作が完了すると、用紙は搬送ローラ１５によって排紙トレイ１６に排出される。
【００１５】
図２において、記録ヘッドユニット２０は、搬送ローラ１４と排紙ローラ１５の間で記録を行うことが可能なように配置されている。従って、記録装置１０は、搬送経路Ｌにおける領域Ｐに相当する位置で用紙に記録を行う。そして、記録ヘッドユニット２０は、搬送ローラ１４と排紙ローラ１５によって搬送される用紙の搬送方向と直交する方向に走査しながら、用紙にインクを吐出して記録動作を行う。記録ヘッドユニット２０は、複数の吐出口が形成されており、記録の際には吐出口から用紙へインクが吐出される。本実施形態では、記録ヘッドユニット２０内部の流路には、発熱素子（電気熱変換体）が配置されている。発熱素子に選択的に通電させ、その発熱素子から熱エネルギーを発生させることにより、流路内のインクが加熱されて膜沸騰により発泡し、そのときの発泡エネルギーによって吐出口からインクが吐出される。
【００１６】
図３は、本実施形態における記録装置１０の制御系についての構成を示すブロック図である。３１は給紙ローラ１２、搬送ローラ１４、排紙ローラ１５を回転させる搬送モータである。このように、駆動源としての搬送モータ３１は、給紙ローラ１２と搬送ローラ１４と排紙ローラ１５とを共通して駆動させている。また、３４はメインボード３０に配置され、記録装置全体を制御する制御手段であるＣＰＵ、３２は給紙ローラ１２、搬送ローラ１４、排紙ローラ１５の搬送モータ３１による駆動を制御するモータドライバ、３３は搬送ローラ１４の回転を検出するエンコーダである。３５は一時的な定数を記憶するＲＡＭ、３６は搬送モータ３１の制御テーブル等の記録装置１０に対する動作パラメータや使用者が設定するサイレントモード等の状態を記憶するＲＯＭである。３７は記録装置１０の外部に設けられたＰＣ、３８は記録装置１０の内部に設けられた操作ＵＩ（ユーザインターフェース）であり、ＰＣ３７または操作ＵＩ３８によりＣＰＵ３４に記録動作の指令やサイレントモードの設定の指令が送られる。
【００１７】
本実施形態では、搬送モータ３１は、給紙ローラ１２、搬送ローラ１４、排紙ローラ１５のそれぞれを駆動できるように、伝達手段を介してそれぞれのローラに接続されている。従って、給紙ローラ１２、搬送ローラ１４、排紙ローラ１５のそれぞれを駆動させるための駆動源が共通化されて、それぞれのローラが一つの駆動源としての搬送モータ３１のみによって駆動されている。このため、記録装置１０における駆動源の数が少なくて済み、記録装置１０の製造コストにおいて比較的高い割合を占める駆動源の数を少なくすることで、記録装置１０の製造コストを低く抑えることができる。また、本実施形態では、搬送モータ３１による回転駆動力を給紙ローラ１２、搬送ローラ１４、排紙ローラ１５のそれぞれに伝達する伝達手段として、ギア等が用いられている。このように、伝達手段としてのギア等が、搬送モータ３１による駆動力を、搬送ローラ１４と排紙ローラ１５と給紙ローラとに伝達している。本実施形態では、駆動源としての搬送モータ３１及び搬送モータ３１からの駆動力をそれぞれのローラに伝達する伝達手段としてのギア等を駆動手段と言うものとする。
【００１８】
また、本実施形態では、記録装置１０が、複数の用紙を搬送し、連続的に給紙・搬送・排紙を行いつつ記録を行う連送動作を行うことが可能である。記録装置１０において、連送動作が行われる場合について説明する。
【００１９】
ＰＣ３７から記録動作の指令がＣＰＵ３４に出されると、ＣＰＵ３４は給紙動作を行うために、まずモータドライバ３２により搬送モータ３１を回転させる。搬送モータ３１が回転すると、搬送モータ３１による回転駆動力が、不図示のギア等の伝達手段によってそれぞれのローラに伝達され、給紙ローラ１２、搬送ローラ１４、排紙ローラ１５が回転する。搬送ローラ１４が回転している間は、エンコーダ３３の読み取り値に応じてＣＰＵ３４が駆動信号の制御等を処理することによって各種ローラの回転速度が制御される。また、それと同時に、ＣＰＵ３４によって搬送距離が計算される。
【００２０】
給紙ローラ１２は、用紙積載部１１にセットされている用紙に圧接させた状態で回転することによって、記録装置１０における搬送経路Ｌに用紙を給紙する。給紙された用紙は搬送ローラ１４の回転駆動によって搬送され、そのうち搬送経路における搬送方向下流側の端部である先端部がＰＥセンサ（用紙検知手段））１３に到達する。用紙の先端部がＰＥセンサ１３に到達すると、ＣＰＵ３４はこのＰＥセンサ１３からの検知信号を受信する。ＰＥセンサ１３からの検知信号の受信によって用紙がＰＥセンサ１３に到達したと判断すると、そのＰＥセンサ１３の位置を、搬送ローラ１４によって用紙を記録開始位置Ｓ１まで搬送する際の起点として使用する。このＰＥセンサ１３の位置からどの程度搬送すると用紙が記録開始位置Ｓ１に到達するかは予めわかっているので、ＰＥセンサ１３の位置からその分用紙を搬送させることで、記録開始位置Ｓ１に正確に用紙を搬送させ、そこで記録動作を開始させることができる。このように、本実施形態の記録装置１０は、搬送経路に配置され、用紙の有無を検知することが可能な用紙検知手段としてのＰＥセンサ１３を有している。
【００２１】
記録開始位置Ｓ１まで用紙が搬送されると、用紙が停止した状態で記録ヘッドユニット２０が走査しながらインクの吐出が行われて記録動作が行われる。以後、記録動作が完了するまで、搬送ローラ１４による用紙の搬送と記録ヘッドユニット２０によるインク吐出を繰り返す。
【００２２】
用紙における所定の記録領域への記録動作を終えると、そこから用紙が搬送ローラ１４によって搬送方向の前方に搬送される。用紙の搬送方向の先端部が排紙ローラ１５に到達すると、用紙は搬送ローラ１４と排紙ローラ１５との両方によって共同で搬送されるようになる。そこからさらに搬送ローラ１４及び排紙ローラ１５が回転して用紙が搬送されると、用紙は搬送ローラ１４の間を通過し、排紙ローラ１５のみによって挟みこまれた状態になる。そこからまたさらに、排紙ローラ１５が回転することによって用紙が搬送されると、用紙は排紙ローラ１５から押し出されて、それまでに既に排紙された用紙の積載されている排紙トレイ１６の内部に排紙される。
【００２３】
また、本実施形態の記録装置１０は、連送動作が可能なので、先に給紙された用紙の搬送・記録の行われている間に、次の用紙を給紙し、搬送することが可能である。そのため、先に記録の行われる用紙の搬送方向後方（上流側）の端部である後端部が給紙ローラ１２を抜けると、給紙ローラ１２は、用紙積載部１１に積載されている次の用紙に圧接することで、次の用紙の給紙を開始することが可能となる。このように、記録装置１０では、先の用紙の搬送・記録が行われている間に次の用紙の給紙が行われて、同時に２つの用紙についての搬送が行われる。
【００２４】
本実施形態では、給紙ローラ１２は、搬送ローラ１４、排紙ローラ１５よりも遅い周速度で回転している。それぞれのローラは駆動源が共通化されているので、それぞれのローラの回転における角速度は等しい。しかしながら、ローラごとの径の違いによってそれぞれのローラごとに回転における周速度が異なる。そのため、搬送ローラ１４や排紙ローラ１５で搬送している先行する用紙と、次の用紙との間隔は、搬送ローラ１４を回転させる量に比例して開く。また、本実施形態では、次の用紙の先端部がＰＥセンサ１３によって検知されてから記録開始位置Ｓ１に搬送されるまでの間に、先行用紙が排紙トレイ１３に排出されるように、給紙のタイミングが設定されている。また、先行する用紙の記録動作が完了した後、先行用紙が排紙されるまでの間に、次の用紙の給紙動作が行われ、複数の用紙が記録装置１０内で搬送されるように記録装置１０が設定されている。このような先行用紙と次の用紙の間隔によって、複数の用紙が記録装置１０によって搬送・記録動作が行われる。
【００２５】
上記のような記録装置１０によって記録が行われる場合に、記録の行われる際に、記録装置１０から音が発生する。記録装置１０から発せられる音の原因は、搬送モータ３１の駆動を各種ローラへ伝達させる過程のギア列等にある。そのため、搬送モータ３１の回転速度が速くなると、記録装置１０から発せられる音は大きくなる傾向にある。この音を小さく抑えるために、本実施形態の記録装置１０は、使用者がＰＣ３７または操作ＵＩ３８で入力することにより、サイレントモードを設定することが可能である。
【００２６】
このように、本実施形態の記録装置１０は、用紙の搬送において、通常の搬送速度によって用紙を搬送する通常搬送モードとは別の、サイレントモードを有している。用紙の搬送の際に発生する音を小さくするために、通常の搬送速度よりも遅い速度によって用紙を搬送するサイレントモードによって用紙の搬送を行うことが可能である。本実施形態では、ＣＰＵ３４がＲＯＭ３６にサイレントモードの設定されたことを送信し、そのことを記憶する処理を行う。サイレントモードが設定されると、ＣＰＵ３４は搬送モータ３１を遅く回転させるようにモータドライバ３２に指令を出す。
【００２７】
本実施形態では、それぞれのローラの駆動源が共通化されているので、サイレントモードが設定されている場合には、給紙ローラ１２、搬送ローラ１４、排紙ローラ１５の全てに関して、用紙を搬送する速度が通常の搬送モードよりも遅くなる。ところが、仮に排紙ローラ１５によって用紙を排紙トレイ１６に排紙する際に排紙ローラ１５の回転数が低い場合には、排紙の際の用紙の速度が不足することにより、用紙が所定の位置に正常に積載されない可能性がある。図５に示されるように、用紙の後端部が排紙ローラから押し出されたにも関わらず、用紙の全体が排紙トレイ１６の内部に移動せずに、用紙後端が排紙ローラ１５の直後に引っ掛かったような状態となってしまうことがある。
【００２８】
このように、排紙された用紙が所定の位置にきれいに整列されないという課題を解決するために、サイレントモードが設定された場合であっても、用紙が排紙されるときには排紙に適した速度でそれぞれのローラを回転させるように制御が行われる。
【００２９】
このような構成を持つ記録装置１０の連送動作において、サイレントモードが設定されている場合の制御について、図４のフローチャートを用いて説明する。
【００３０】
記録装置１０が排紙命令を受信したときに（Ｓ１）、設定されている用紙搬送の際の設定がサイレントモードかどうかを判断する。このとき、記録装置１０の搬送モードがサイレントモードに設定され、用紙が低速で搬送される設定となっている場合（Ｓ２）には、フローがＳ３に進み、サイレントモードによって記録動作及び給紙、搬送、排紙が行われる。
【００３１】
記録装置１０の搬送モードがサイレントモードに設定されていない場合には、通常の回転速度によって給紙ローラ１２、搬送ローラ１４、排紙ローラ１５が駆動されながら、用紙の搬送が行われる。
【００３２】
以下、記録装置１０の搬送モードがサイレントモードに設定されている場合について説明する。このとき、後述するように、先行する用紙は、搬送経路Ｌにおける給紙制御位置から排紙待機位置Ａまでの区間においては、用紙は、比較的遅い搬送速度（第１の搬送速度）によって搬送される。図６に示されるように、先行する排紙用紙（記録動作が完了した用紙）の後端を既にＰＥセンサ１３で検知している場合（Ｓ３）、ＰＥセンサ１３による後端部の検知情報から、そこから排紙待機位置Ａに用紙の後端部が配置されるまでの搬送距離を算出する（Ｓ４）。排紙待機位置Ａは、用紙の搬送方向後端部が排紙ローラ１５よりも上流側に排紙するために必要とされる搬送距離Ｂを取った位置である（図８）。すなわち、排紙待機位置Ａは、排紙ローラ１５から排紙の際に必要とされる排紙距離だけ排紙ローラ１５から搬送方向の後方に確保された位置である。用紙が排紙待機位置Ａから排紙の際の所定の搬送速度によって排紙される場合には、排紙ローラ１５から用紙が押し出されたときに、少なくとも、用紙の排紙される排紙トレイ１６内部の所定の排紙位置まで移動することが可能である。
【００３３】
排紙のために排紙ローラ１５から排紙トレイ１６までに搬送経路Ｌに確保される搬送距離Ｂは、排紙の際の排紙ローラの回転速度に応じて決定されても良い。排紙の際の排紙ローラ１５の回転速度が高ければ、排紙の際に排紙ローラ１５によって押し出されるのに必要とされる搬送距離Ｂは短くても良い。逆に、排紙の際の排紙ローラ１５の回転速度が低ければ、それだけ排紙の際に長い距離の搬送距離Ｂが必要とされる。従って、排紙の際に排紙ローラ１５によって押し出されるために確保されている搬送距離Ｂは、排紙の際の排紙ローラの回転速度に応じて調節されることとしても良い。
【００３４】
その後、Ｓ４で算出された排紙待機位置Ａまでの残りの距離だけ搬送モータ３１を低速で駆動させ、排紙用紙の後端部が排紙待機位置Ａに配置されるまで用紙が低速で搬送される（Ｓ５）（第１の搬送工程）。このように、本実施形態においては、ＰＥセンサ１３によって用紙における搬送方向の先端部を検知したところから、排紙待機位置Ａに後端部が配置されるまでの用紙の搬送距離が予め算出され、算出された搬送距離の分の搬送が行われる。これにより、用紙を排紙待機位置に正確に搬送することができる。
【００３５】
図７に示されるように、まだ排紙用紙（記録動作が完了した先行用紙、第１の用紙）の後端がＰＥセンサ１３によってまだ検知されていない場合には（Ｓ３）、排紙用紙の搬送方向の後端部が検知されるまで用紙の搬送を行う。ＰＥセンサ１３によって用紙の搬送方向の後端部が検知されると、用紙の後端部が検知された検知位置を起点にして、排紙待機位置Ａに後端部が配置されるまで用紙を搬送するように搬送モータ３１を低速で駆動させる（Ｓ６）。図８には、先行する排紙用紙の後端部が、排紙待機位置Ａまで搬送されたときの状態が示されている。
【００３６】
図８に示される段階では、排紙される用紙は、記録装置１０の排紙トレイ１６に排紙される直前であり、ここまでの搬送は低速に設定されているため、ギア等から発生する音が小さく抑えられている。また、記録装置１０が連送動作を行うことが可能なので、次の用紙における搬送方向の先端部がＰＥセンサ１３の手前に位置するまで搬送されている。図８の状態から、記録装置１０が次に給紙命令を受信すると（Ｓ７）、排紙用紙の排紙が行われる。また、それと共に、次の用紙の搬送が行われ、先端の検知位置を起点にして、給紙用紙（排紙用紙の次に給紙・搬送される用紙、第２の用紙）を、記録開始位置Ｓ１まで搬送する経路の一部において、排紙される際の搬送速度によって用紙を搬送する。本実施形態では、次に給紙されている用紙の下流側の先端部が、記録開始位置Ｓ１までの搬送の経路にある給紙制御位置に位置する状態となるまで、排紙に適した比較的速い搬送速度（第２の搬送速度）によって搬送される。すなわち、次に給紙されている用紙の下流側の先端部が、給紙制御位置に位置する状態となるまで、比較的速い搬送速度によって、先行する用紙及び次の用紙が搬送される（第２の搬送工程）。ここで、給紙制御位置とは、記録ヘッドユニット２０による記録の開始される記録開始位置Ｓ１よりも上流側に設定された位置である。次に給紙された用紙は、給紙ローラ１２によって給紙された後に、排紙に適した比較的速い搬送速度によって、給紙制御位置まで搬送される。このように、記録待機位置Ａから用紙が排紙される際の用紙の搬送では、搬送モータ３１を所定の速度以上に駆動することによって排紙に適した搬送速度で駆動させる（Ｓ８）。このように、本実施形態では、サイレントモードで用紙を排紙トレイ１６に排出する際には、排紙に適した所定の排紙速度によって、用紙の搬送が行われる。そして、少なくとも排紙ローラ１５から用紙を排紙トレイ１６の排紙位置に正常に排出することが可能な搬送距離（排紙距離）Ｂに亘って、排紙ローラ１５により用紙が押し出されて、用紙の排紙が行われる。そうすることで、用紙が排紙ローラを出た後に搬送経路の途中で止まらずに、用紙が排紙ローラ１５によって排紙トレイ１６内部に整列されて確実に配置される。従って、図９に示されるように、排紙トレイ１６内部で用紙をきれいに整列させることができる。
【００３７】
また、記録装置１０では、記録装置１０の構成に関係なく、用紙が排紙されるのに適した速度で搬送される区間が短くなるように設定することができる。本実施形態では、排紙ローラ１５から用紙を排紙トレイ１６の排紙位置に正常に排出することが可能な排紙距離が、なるべく短くなるように設定されている。用紙が排紙されるのに適した速度で搬送されると、用紙の搬送速度がサイレントモードにおいて静音とされる搬送速度よりも速く設定されているので、そこで比較的大きな音が発生する可能性がある。しかしながら、排紙のために高い速度の区間が短くなるように設定することができるので、比較的大きな音の発生する区間がより短くて済み、全体的には静粛な搬送を行うことができる。そのため、静粛性の向上した搬送モードを有する記録装置を提供することができる。
【００３８】
また、排紙される用紙の次の用紙が、給紙前の積載されている位置から、記録の行われる記録開始位置まで搬送される間の区間を搬送されている間に、前の用紙における排紙の際の搬送速度による排紙を行うことができる。従って、排紙の際の比較的高い速度で搬送される区間を、次の用紙における給紙位置と記録位置との間の領域に収めることができる。そのため、排紙の際の比較的高い速度によって搬送される区間は記録に関与せずに、搬送速度の変化が記録に影響を及ぼすことを抑えることができる。
【００３９】
一方、排紙命令を受信して（Ｓ１）、低速で搬送する設定ではなかった場合（Ｓ２）、サイレントモードの設定がされているわけではなく、通常の搬送モードによって用紙が搬送されるので、用紙の搬送は一定以上の速度で行われる。そのため、その後の給紙動作（Ｓ７、Ｓ８）と共に行われる排紙工程で排紙された排紙用紙はきれいに整列される。すなわち、用紙の搬送の際にサイレントモードが設定されずに通常の搬送モードが設定されている場合には、用紙の搬送速度は、搬送経路の全体を通して、排紙に適した速度によって搬送される。
【００４０】
なお、排紙に適した速度で用紙を搬送する期間について、排紙ローラのみによって用紙が挟みこまれた状態であるときに、用紙の搬送速度を排紙に適した速度とすることも考えられる。しかしながら、排紙ローラが用紙を挟みこんでいるときの全体を排紙に適した速度で搬送するとすれば、搬送距離が必要以上に長くなり、音の発生する期間が過度に長くなる可能性がある。このような場合には、音の発生する時間の割合が大きくなり、記録装置１０の静粛性が高く保たれなくなる。
【００４１】
なお、上記実施形態では、記録装置１０は、用紙の搬送方向に直交する方向に記録ヘッドユニット２０が走査して記録を行うシリアルスキャン方式の記録装置を用いた。しかしながら、本発明は上記実施形態に限定されず、記録媒体の幅方向の全域に亘って延在する記録ヘッドを用いるフルライン形式の記録装置にも適用可能である。
【００４２】
なお、本明細書において、「記録」とは、文字、図形等有意の情報を形成する場合のみならず、有意無意を問わずに用いられる。また、人間が視覚で知覚し得るように顕在化したものであるか否かを問わず、広く記録媒体上に画像、模様、パターン等を形成する、または記録媒体の加工を行う場合も表すものとする。
【００４３】
また、「記録装置」とは、プリンタ、プリンタ複合機、複写機、ファクシミリ装置などのプリント機能を有する装置、ならびにインクジェット技術を用いて物品の製造を行なう製造装置を含む。
【００４４】
また、記録媒体としての「用紙」は、一般的な記録装置で用いられる紙のみならず、広く、布、プラスチック・フィルム、金属板、ガラス、セラミックス、木材、皮革等、インクを受容可能なものを表すものとする。
【００４５】
さらに、「インク」とは、上記「記録」の定義と同様広く解釈されるべきものである。記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【符号の説明】
【００４６】
１０  記録装置
１２  給紙ローラ
１４  搬送ローラ
１５  排紙ローラ
１６  排紙トレイ
３１  搬送モータ
【図１】
0005967879.tif 000002
【図２】
0005967879.tif 000003
【図３】
0005967879.tif 000004
【図４】
0005967879.tif 000005
【図５】
0005967879.tif 000006
【図６】
0005967879.tif 000007
【図７】
0005967879.tif 000008
【図８】
0005967879.tif 000009
【図９】
0005967879.tif 000010